(57)【要約】【課題】フットレストを移動させる移動機構部に異物が干渉することによって生じる種々の危険を防止できるマッサージ機を提供する。【解決手段】使用者が着座する座部３、及び使用者の脚部を支持するフットレスト５を少なくとも有する椅子本体２と、フットレスト５を座部３に対して移動させる駆動部３１を有する移動機構部３５と、フットレスト５の移動を制御する制御部１３と、を有している。制御部１３は、移動機構部３５に異物Ｏ１，Ｏ２が干渉してフットレスト５の移動が阻害されると、フットレスト５の移動を停止させる又は移動方向を反転させるよう制御する。【選択図】      図３
2013169340.tif 000002
【特許請求の範囲】
【請求項１】
使用者が着座する座部、及び使用者の脚部を支持するフットレストを少なくとも有する椅子本体と、
前記フットレストを前記座部に対して移動させる駆動部を有する移動機構部と、
前記フットレストの移動を制御する制御部と、を有し、
前記制御部は、前記移動機構部に異物が干渉して前記フットレストの移動が阻害されると、当該フットレストの移動を停止させる又は移動方向を反転させるよう制御する
ことを特徴とするマッサージ機。
【請求項２】
前記座部と前記移動機構部との間における異物の存否を検出する第１検出機構を有していることを特徴とする請求項１に記載のマッサージ機。
【請求項３】
床面と前記移動機構部との間における異物の存否を検出する第２検出機構を有していることを特徴とする請求項１又は２に記載のマッサージ機。
【請求項４】
前記移動機構部は、前記駆動部の駆動力により前記フットレストを上下に揺動させるフットリンク部材を有し、
前記第１検出機構は、前記座部と前記フットリンク部材との間における異物の存否を検出する
ことを特徴とする請求項２に記載のマッサージ機。
【請求項５】
前記第２検出機構は、前記床面と前記フットリンク部材との間における異物の存否を検出する
ことを特徴とする請求項４に記載のマッサージ機。
【請求項６】
前記フットリンク部材は、前記座部の下方において上下に揺動可能であり、
前記第１検出機構は、前記フットリンク部材が上方に揺動する際の前記座部と当該フットリンク部材との間における異物の存否を検出し、
前記第２検出機構は、前記フットリンク部材が下方に揺動する際の床面と当該フットリンク部材との間における異物の存否を検出する
ことを特徴とする請求項５に記載のマッサージ機。
【請求項７】
前記第１検出機構は、前記異物を介して前記フットリンク部材に押動されることにより移動する可動部材と、当該可動部材の移動を検出する第１センサと、を有していることを特徴とする請求項４〜６のいずれかに記載のマッサージ機。
【請求項８】
前記制御部は前記座部の下面に設けられ、
前記可動部材は、前記制御部を下方から覆うカバー部材であることを特徴とする請求項７に記載のマッサージ機。
【請求項９】
前記椅子本体に設けられ被施療部をマッサージするエアセルと、
前記座部の下面に設けられ前記エアセルに対してエアを給排気するエア給排気装置と、を有し、
前記可動部材は、前記エア給排気装置を下方から覆うカバー部材である
ことを特徴とする請求項７又は８に記載のマッサージ機。
【発明の詳細な説明】
【技術分野】
【０００１】
本発明は座部とフットレストを備えたマッサージ機に関する。より詳しくは、フットレストを移動させる移動機構部に異物が干渉することによって生じる種々の危険を防止できるマッサージ機に関する。
【背景技術】
【０００２】
従来、座部６に対してリンク機構９を介して移動可能であるオットマン３（フットレスト）を備えた椅子式マッサージ機Ａにおいて、オットマン３の収納動作時に異物を挟み込んでオットマン３に一定以上の力が加わると、オットマン３とリンク機構９が外れる構成を採用した椅子式マッサージ機Ａが知られている（例えば、特許文献１の図１０参照）。このような構成によれば、オットマン３と、床面又は本体（フレーム８）と、の間に異物が挟み込まれることを防止できる。
【先行技術文献】
【特許文献】
【０００３】
【特許文献１】特開平７−３９５７１号公報
【発明の概要】
【発明が解決しようとする課題】
【０００４】
しかし、上記特許文献１の図１０に開示されたマッサージ機は、リンク機構９を構成する支持アーム１９と、床面又は本体と、の間に異物が存在した場合は、異物の挟み込みを防止することができない。すなわち、支持アーム１９は、オットマン３に対しては着脱可能であるが、オットマン３を駆動するためのガススプリング２０に連結固定されているため、支持アーム１９による異物の挟み込みを防止することはできない。
【０００５】
そこで本発明は、上述した問題を解消するためになされたものであり、フットレストを移動させる移動機構部に異物が干渉することによって生じる種々の危険を防止できるマッサージ機を提供することを目的とする。
【課題を解決するための手段】
【０００６】
本発明は、使用者が着座する座部、及び使用者の脚部を支持するフットレストを少なくとも有する椅子本体と、前記フットレストを前記座部に対して移動させる移動機構部と、前記フットレストの移動を制御する制御部と、を有し、前記制御部は、前記移動機構部に異物が干渉して前記フットレストの移動が阻害されると、当該フットレストの移動を停止させる又は移動方向を反転させるよう制御することを特徴とする。
このような構成とすることにより、フットレストのように着脱可能に構成することができない移動機構部に異物が干渉したとしても、異物の干渉によって生じる種々の危険を回避できる。例えば、移動機構部が過負荷により破損してしまうことを防止できるし、異物が人（例えば使用者）の身体の一部である場合は怪我を防止することもできる。
【０００７】
また、前記座部と前記移動機構部との間における異物の存否を検出する第１検出機構を有していることが好ましい。
このような構成とすることにより、座部と移動機構部との間に異物が挟み込まれることを防止できる。
【０００８】
また、床面と前記移動機構部との間における異物の存否を検出する第２検出機構を有していることが好ましい。
このような構成とすることにより、床面と移動機構部との間に異物が挟み込まれることを防止できる。
【０００９】
また、前記移動機構部は、前記駆動部の駆動力により前記フットレストを上下に揺動させるフットリンク部材を有し、前記第１検出機構は、前記座部と前記フットリンク部材との間における異物の存否を検出することが好ましい。
このような構成とすることにより、座部とフットリンク部材との間に異物が挟み込まれることを防止できる。
【００１０】
また、前記第２検出機構は、前記床面と前記フットリンク部材との間における異物の存否を検出することが好ましい。
このような構成とすることにより、床面とフットリンク部材との間に異物が挟み込まれることを防止できる。
【００１１】
また、前記フットリンク部材は、前記座部の下方において上下に揺動可能であり、前記第１検出機構は、前記フットリンク部材が上方に揺動する際の前記座部と当該フットリンク部材との間における異物の存否を検出し、前記第２検出機構は、前記フットリンク部材が下方に揺動する際の床面と当該フットリンク部材との間における異物の存否を検出することが好ましい。
このような構成とすることにより、フットリンク部材を上下に揺動させることによりフットレストを上下に揺動させることができる。そして、フットリンク部材を上方へ揺動させる際には、座部とフットリンク部材との間に異物が挟み込まれることを防止でき、フットリンク部材を下方へ揺動させる際には、床面とフットリンク部材との間に異物が挟み込まれることを防止できる。
【００１２】
また、前記第１検出機構は、前記異物を介して前記フットリンク部材に押動されることにより移動する可動部材と、当該可動部材の移動を検出する第１センサと、を有していることが好ましい。
このような構成とすることにより、可動部材に対する異物の物理的接触を検出するため、正確に異物の存否を検出することができる。
【００１３】
また、前記制御部は前記座部の下面に設けられ、前記可動部材は、前記制御部を下方から覆うカバー部材であることが好ましい。
このような構成とすることにより、制御部を保護するカバー部材を利用して異物の存否を検出することができる。
【００１４】
また、前記椅子本体に設けられ被施療部をマッサージするエアセルと、前記座部の下面に設けられ前記エアセルに対してエアを給排気するエア給排気装置と、を有し、前記可動部材は、前記エア給排気装置を下方から覆うカバー部材であることが好ましい。
このような構成とすることにより、給排気装置を保護するカバー部材を利用して異物の存否を検出することができる。
【発明の効果】
【００１５】
本発明によれば、フットレストを移動させる移動機構部に異物が干渉することによって生じる種々の危険を防止できる。
【図面の簡単な説明】
【００１６】
【図１】本発明の一実施形態に係るマッサージ機の斜視図である。
【図２】図１とは別の角度から見たマッサージ機の斜視図である。
【図３】起立状態にあるマッサージ機の側面図である。
【図４】リクライニング状態にあるマッサージ機の側面図である。
【図５】ベース、ロッキング機構部、及びフットリンク部材を示す斜視図である。
【図６】ロッキング駆動部のモータを示す側面図である。
【図７】マッサージ機の機能ブロック図である。
【図８】移動フレームが後退位置にあるときのマッサージユニットの斜視図である。
【図９】移動フレームが突出位置にあるときのマッサージユニットの斜視図である。
【図１０】移動フレームが後退位置にあるときのマッサージユニットの正面図である。
【図１１】移動フレームが後退位置にあるときのマッサージユニットの分解平面図である。
【図１２】移動フレームが後退位置にあるときのマッサージユニットの側面図である。
【図１３】移動フレームが突出位置にあるときのマッサージユニットの側面図である。
【図１４】カバー部材及びベース部材を示す分解斜視図である。
【図１５】カバー部材及びベース部材を左右方向に略直交する面で切断した断面図である。
【図１６】第１検出機構の説明図であり、（ａ）は図１５の前方部分を模式的に示す拡大図であり、（ｂ）は図１５の後方部分を模式的に示す拡大図である。
【図１７】第２検出機構の説明図であり、第２フットリンク部及び第３フットリンク部の側面図である。
【図１８】他の実施形態に係るマッサージユニットの側面図である。
【図１９】本発明の他の実施形態に係るマッサージ機の説明図であり、（ａ）はマッサージユニットが首位置にあるときの平面図、（ｂ）はマッサージユニットが腰位置にあるときの平面図、（ｃ）は中継部材ガイド機構の説明図である。
【発明を実施するための形態】
【００１７】
［全体構成］
以下、本発明の第１実施形態に係るマッサージ機１の全体構成について説明する。図１は、本発明の一実施形態に係るマッサージ機１の斜視図である。図２は、図１とは別の角度から見たマッサージ機１の斜視図である。図３は、起立状態にあるマッサージ機１の側面図である。図４は、リクライニング状態にあるマッサージ機１の側面図である。図５は、ベース７、ロッキング機構部８、及びフットリンク部材５０を示す斜視図である。図６は、ロッキング駆動部３１のモータ３２を示す側面図である。図７は、マッサージ機１の機能ブロック図である。なお、図３〜図５では、後述する第２検出機構３０６の図示を省略している。
【００１８】
図１に示すとおり、本発明のマッサージ機１は、主として、使用者が着座する座部３と、座部３の後部に一体的に設けられた使用者が凭れる背凭れ部４と、座部３の前部に上下回動可能に設けられた使用者の脚部を支持するフットレスト５と、により構成される椅子本体２と、この椅子本体２を前後に揺動可能に支持するとともに床面に設置されるベース７と、椅子本体をベースに対して前後に揺り動かすロッキング機構部８と、椅子本体２に設けられた使用者の被施療部をマッサージするマッサージ部９〜１２と、を有している。
なお、以下の説明で用いる方向の概念は、図３に示す起立状態にあるマッサージ機１に着座した使用者から見たときの方向の概念と一致するものとし、左手側が「左」であり、右手側が「右」であり、頭部側が「上」であり、腰部側が「下」であり、その他の場合は適宜説明するものとする。
【００１９】
［座部及び背凭れ部の構成］
図１に示すとおり、座部３及び背凭れ部４は一体的に形成され第１身体支持部２０を構成している。第１身体支持部２０は、座部３から背凭れ部４にかけて連続して前方に開口する開口部２１ａを有する第１身体支持部本体２１と、第１身体支持部本体２１の前方に配設され伸縮性を有するパッド部（図示せず）と、を有している。第１身体支持部２０には、後述するマッサージユニット９を身長方向に昇降可能に支持するラック２２が設けられている。このラック２２は、左右で対をなしているとともに、使用者側に歯列を有し、座部３の前端部から背凭れ部４の上端部まで身長方向に延設されている。
【００２０】
第１身体支持部２０には、第１身体支持部本体２１の開口部２１ａ内において、第１支持部本体２１に設けられたラック２２を介して昇降用モータＭ１（図７参照）の駆動により昇降可能に設けられ、使用者の背部から一点鎖線で示すとおり大腿部にかけてパッド部（図示せず）を介して連続的にマッサージするマッサージ部としての機械式のマッサージユニット９が設けられている。このマッサージユニット９は、左右で対をなすマッサージ手段６２を有しており、マッサージ用モータＭ２（図７参照）の駆動により対のマッサージ手段６２を左右方向に近接離反させる揉み動作を行うことができるとともに、対のマッサージ手段６２を交互に前後方向に進退させる叩き動作を行うことができる。これら、モータＭ１及びＭ２の駆動は、座部３の下方に設けられた制御部１３（図７参照）により行われる。
【００２１】
座部３は、使用者の臀部乃至大腿部の外側面に対向する左右で対をなす側壁３ａ，３ａを有し、側壁３ａの内側面には、臀部乃至大腿部をマッサージするマッサージ部としてのエアセル１０が設けられている。背凭れ部４は、使用者の上腕部の外側面に対向する左右で対をなす側壁４ａ，４ａを有し、側壁４ａの内側面には、上腕部をマッサージするマッサージ部としてのエアセル１１が設けられている。
【００２２】
また、図２に示すとおり、第１身体支持部２０（椅子本体２）の底部には、後述するロッキング機構部８の少なくとも一部を収容すべく、下方に向かって開口する収容溝２３ａを有する収容部２３が設けられている。この収容溝２３ａは、ロッキング機構部８の移動に伴うロッキング機構部８と第１身体支持部２０との干渉を防止すべく、座部３から背凭れ部４の下部にかけて連続して開口している。
【００２３】
［フットレストの構成］
図１に示すとおり、フットレスト５は、使用者の脚部を載置する底壁５ａと、使用者の脚部の外側面に対向する左右で対をなす側壁５ｂ，５ｂと、を有し、底壁５ａの前面及び側壁５ｂの内側面には、脚部をマッサージするマッサージ部としてのエアセル１２が設けられている。前述した各エアセル１０〜１２は、座部３の下方に配置されるポンプ及びバルブ等からなるエア給排気装置１４（図７参照）からのエアの給排気により膨張収縮するよう構成されており、制御部１３によりエア給排気装置１４の駆動が制御される。座部３の下面に設けられたこれら制御部１３及びエア給排気装置１４は、詳細は後述するカバー部材１５によって外部へ露出しないよう下方から覆われている。そして、フットレスト５は、座部３の前部にヒンジ２４を介して上下回動可能に連結されているとともに、詳細は後述するフットリンク部材５０を介して座部３（第１身体支持部２０）に連結されており、椅子本体２の前後揺動に連動して上下回動するよう構成されている。そして、フットレスト５は、ヒンジ２４に枢支されたブラケット２５を介して座部３に取り付けられている。
【００２４】
［ベースの構成］
図２〜図５に示すとおり、ベース７は、左右方向に所定距離を存して配置された床面に設置する対の脚フレーム７ａ，７ａと、左右方向を軸方向とし両脚フレーム７ａ，７ａを連結する複数のシャフト７ｂ〜７ｄと、を有している。脚フレーム７ａの後部には、床面を転動させるキャスター２６が設けられており、マッサージ機１の前部を持ち上げて、マッサージ機１を容易に移動させることができるようになっている。シャフト７ｂ〜７ｄには、椅子本体２を前後に揺り動かすためのロッキング機構部８を構成する部材が枢支されている。これらのシャフト７ｂ〜７ｄは、最も前方に位置する第１シャフト７ｂ、第１シャフト７ｂよりも後方に位置する第２シャフト７ｃ、及び第１シャフト７ｂ及び第２シャフト７ｃの間に位置する第３シャフト７ｄである。
【００２５】
［マッサージユニットの構成］
以下、マッサージユニット９の構成について説明する。図８は、移動フレーム６１が後退位置にあるときのマッサージユニット９の斜視図である。図９は、移動フレーム６１が突出位置にあるときのマッサージユニット９の斜視図である。図１０は、移動フレーム６１が後退位置にあるときのマッサージユニット９の正面図である。図１１は、移動フレーム６１が後退位置にあるときのマッサージユニット９の分解平面図である。図１２は、移動フレーム６１が後退位置にあるときのマッサージユニット９の側面図である。図１３は、移動フレーム６１が突出位置にあるときのマッサージユニット９の側面図である。
【００２６】
マッサージユニット９は、主として、ラック２２に昇降可能に支持されたベースフレーム６０と、ベースフレーム６０に対して使用者側に進退可能に設けられた移動フレーム６１と、移動フレーム６１に設けられ使用者の身体をマッサージするマッサージ手段６２と、移動フレーム６１を任意の昇降位置において使用者が意図する進退位置に変位させる進退用エアセル６３と、により構成されている。
【００２７】
ベースフレーム６０は、対の側壁６０ａと、対の側壁６０ａの上部を連結する上壁６０ｂと、対の側壁６０ａの下部を連結する下壁６０ｃと、側壁６０ａ、上壁６０ｂ、及び下壁６０ｃそれぞれの後部を連結する後壁６０ｄと、により前方が開放された箱型に構成されている。両側壁６０ａの下部には、昇降用モータＭ１に連動連結された左右方向を軸方向とする昇降駆動軸６４が軸支され、この昇降駆動軸６４の左右両端部にラック２２と噛合するピニオン６５が設けられている。また、ピニオン６５の後方において、左右方向を軸方向とし、ラック２２の使用者側と反対側の面（後面）を転動するガイドローラ６６が側壁６０ａに支持されている。すなわち、ピニオン６５及びガイドローラ６６によりラック２２を前後から挟む配置となっている。両側壁６０ａの上部には、左右方向を軸方向とし、ピニオン６５の駆動により従動する昇降従動軸６７が軸支され、この昇降従動軸６７の外側端部にもピニオン６８が設けられている。ピニオン６８の後方には同様にガイドローラ６９が設けられている。このラック２２、ピニオン６５，６８、及びガイドローラ６６，６９により、マッサージユニット９を第１身体支持部２０に対して昇降可能にガイドするガイド機構が構成されている。
【００２８】
移動フレーム６１は、対の側壁６１ａと、対の側壁６１ａの上部を連結する上壁６１ｂと、側壁６１ａ及び上壁６１ｂそれぞれの後部を連結する後壁６１ｄと、により前方及び下方が開放された形状に構成され、この移動フレーム６１には、被施療部をマッサージするマッサージ手段６２、及びマッサージ手段６２を駆動する駆動機構部７０が設けられている。このマッサージ手段６２は、側面視で略三角形の支持アーム６２ａと、支持ア―ム６２ａの上下両端部（頂点）に支持され被施療部に当接する施療子６２ｂと、を有し、左右で対をなして構成されている。この移動フレーム６１には、駆動機構部７０及び後述する各種センサ８３〜８６の被検出部８３ｂ〜８６ｂが収められており、その外部（上壁６１ｂの上面）には後述する基板８８が取り付けられている。すなわち、マッサージユニット９を駆動・制御するための構成要素が移動フレーム６１にまとめて組み付けられているため、マッサージユニット９の簡素化及び低コスト化に貢献している。
【００２９】
駆動機構部７０は、対の支持アーム６２ａを相互に近接離反させて揉み動作を行わせる揉み駆動機構７１と、対の支持アーム６２ａを交互に前後揺動させて叩き動作を行わせる叩き駆動機構７２と、により構成されている。揉み駆動機構７１は、支持アーム６２ａを傾斜カム７４を介して支持する左右方向を軸方向とする揉み軸７３と、揉み軸７３を回転させるマッサージ用モータＭ２と、マッサージ用モータＭ２の回転動力を減速して揉み軸７３に伝達する減速器７５と、により主として構成されている。
【００３０】
叩き駆動機構７２は、左右方向を軸方向とする叩き軸７６と、叩き軸７６を回転させるマッサージ用モータＭ２と、マッサージ用モータＭ２の回転動力を減速して叩き軸７６に伝達する減速器７７と、叩き軸７６の軸心に対して偏心した偏心カム７８を介して叩き軸７６の軸端部に取り付けられ叩き軸７６と支持アーム６２ａを連結する連結部材７９と、により主として構成されている。なお、揉み軸７３と叩き軸７６は、共通のマッサージ用モータＭ２により駆動される構成となっており、叩き軸７６に設けられたクラッチ８０により、マッサージ用モータＭ２を一方に回転させた場合には叩き軸７６は空転して揉み軸７３のみが回転し、他方に回転させた場合には揉み軸７３及び叩き軸７６の両方が回転する構成となっている。
【００３１】
支持アーム６２ａと傾斜カム７４の取り付け構造を詳述すると、図１０及び図１１に示すとおり、この支持アーム６２ａは、傾斜カム７４の外周部に外嵌されたベアリング８１を介して傾斜カム６２ａに対して回転可能に取り付けられている。そして、左右の傾斜カム７４は平面視で逆ハの字となるよう互いに逆方向に傾斜しているため、揉み軸７３を回転させると左右の支持アーム６２ａが相互に近接離反して揉み動作を行うこととなる。また、この支持アーム６２ａは、コンロッド（駆動アーム）を介することなく直接揉み軸７３に取り付けられているため、使用者に対して強いマッサージを行うことができるとともに、マッサージユニット９の構造を簡素化することができる。
【００３２】
連結部材７９の構成を詳述すると、図１０〜図１３に示すとおり、この連結部材７９は、偏心カム７８の外周部に外嵌されたベアリング８２を介して偏心カム７８に対して回転可能に取り付けられた第１連結部７９ａと、その下端部が第１連結部７９ａの上端部に前後方向を軸方向とする回転軸７９ｃを介して左右方向に揺動可能に軸支され、その上端部が支持アーム６２ａの後端部にボールジョイント等よりなる自在継手７９ｄを介して取り付けられた第２連結部７９ｂと、により構成されている。なお、左右の偏心カム７８は、その回転中心（叩き軸７６の軸心）に対する位相が互いに１８０度だけ異なっているため、叩き軸７６を回転させると左右の支持アーム６２ａが交互に前後揺動して叩き動作を行うこととなる。
【００３３】
図１２及び図１３に示すとおり、ベースフレーム６０と移動フレーム６１の間には、移動フレーム６１をベースフレーム６０に対して前後方向に進退させる進退用エアセル６３が設けられている。すなわち、進退用エアセル６３は、その後面がベースフレーム６０の後壁６０ｄに当接して固着されており、その前面が移動フレーム６１の後壁６１ｄに当接している。この進退用エアセル６３は、前述したエア給排気装置１４（図７参照）からのエアの給排気により膨張収縮するよう構成されており、制御部１３によりエア給排気装置１４の駆動が制御される。
【００３４】
移動フレーム６１は、その下部が前述した昇降駆動軸６４によりベースフレーム６０に支持されている。そして、移動フレーム６１に昇降駆動軸６４が相対回転可能に挿通されおり、進退用エアセル６３の膨張収縮により、移動フレーム６１は昇降用駆動軸６４を揺動支点としてベースフレーム６０に対してその上部側が下部側に対して前後方向に進退（揺動）可能となっている。進退用エアセル６３は、制御部１３からの指示に従って予め設定されたプログラムにより動作させて移動フレーム６１の進退位置を変位させることができる他、制御部１３に接続されたリモートコントローラ１００を使用者が操作することにより動作させて、移動フレーム６１を使用者が意図する進退位置に変位させることもできる。
【００３５】
本実施形態では、図１２に示す進退用エアセル６３が完全に収縮して移動フレーム６１が最も後退した後退位置と、図１３に示す進退用エアセル６３が限界まで膨張して移動フレーム６１が最も突出した突出位置と、の２箇所において、移動フレーム６１を位置決め可能な構成となっており、リモートコントローラ１００の操作により、移動フレーム６１を使用者の意図する進退位置（後退位置又は突出位置）に位置させて、所望するマッサージの強さに変更することができる。また、給排気装置１４に保持弁等を設けることにより、前記後退位置と前記突出位置との間における任意の進退位置で移動フレーム６１を位置決め可能な構成としてもよい。この場合は、進退用エアセル６３の内部圧力を検出する圧力センサを設けたり、進退用エアセル６３に対するエアの給排気時間を計測するタイマを設けるとよい。
【００３６】
［各種センサの構成］
図１１に示すとおり、このマッサージユニット９は、マッサージユニット９の昇降速度及び昇降位置を検出する昇降センサ８３、揉み動作の速度及び／又は叩き動作の速度を検出する速度センサ８４、対の支持アーム６２ａ，６２ａの間隔を検出する幅センサ８５、及び移動フレーム６１の進退位置を検出する進退センサ８６を有している。そして、移動フレーム６１の上部（上壁６１ｂ）には、各モータＭ１，Ｍ２を駆動する駆動回路（図示せず）と、各種センサ８３〜８６を構成する検出部８３ａ〜８６ａと、駆動回路及び検出部８３ａ〜８６ａを制御部１３と電気的に接続する中継部材８７（図８及び図９参照）と、が配備された基板８８が設けられている。以下、この各種センサ８３〜８６の構成について詳述する。
【００３７】
図１０及び図１１に示すとおり、昇降用モータＭ１は、移動フレーム６１にブラケット６１ｅを介して、モータの出力軸Ｍ１ａ，Ｍ１ｂが上下方向を向くよう取り付けられている。また、昇降用モータＭ１は、下方に向かって延設され減速器９０を介して昇降駆動軸６４に連結される第１出力軸Ｍ１ａと、上方に向かって延設され上端部に磁石等よりなる被検出部８３ｂが取り付けられた第２出力軸Ｍ１ｂと、を有している。そして、基板８８の下面には、上壁６１ｂに設けられた窓部（図示せず）を介してこの被検出部８３ｂの通過を検出するホールＩＣ等よりなる検出部８３ａが設けられている。すなわち、この検出部８３ａ及び被検出部８３ｂにより、昇降用モータＭ１の回転速度及び回転数を検出して、マッサージユニット９の昇降速度及び昇降位置を検出する非接触式の昇降センサ８３が構成されている。
【００３８】
図１０及び図１１に示すとおり、マッサージ用モータＭ２も、昇降用モータＭ１と同様に、移動フレーム６１にブラケット６１ｅを介して、モータの出力軸Ｍ２ａ，Ｍ２ｂが上下方向を向くよう取り付けられている。また、マッサージ用モータＭ２は、下方に向かって延設され減速器７７を介して叩き軸７６に連結される第１出力軸Ｍ２ａと、上方に向かって延設され減速器７５を介して揉み軸７３に連結されるとともに、上端部に磁石等よりなる被検出部８４ｂが取り付けられた第２出力軸Ｍ２ｂと、を有している。そして、基板８８の下面には、上壁６１ｂに設けられた窓部（図示せず）を介してこの被検出部８４ｂの通過を検出するホールＩＣ等よりなる検出部８４ａが設けられている。すなわち、この検出部８４ａ及び被検出部８４ｂにより、マッサージ用モータＭ２の回転数を検出して、揉み動作の速度及び／又は叩き動作の速度を検出する非接触式の速度センサ８４が構成されている。
【００３９】
図１０及び図１１に示すとおり、揉み軸７３の外周部には、磁石等よりなる被検出部８５ｂが揉み軸７３と一体回転可能に取り付けられており、基板８８の下面には、上壁６１ｂに設けられた窓部（図示せず）を介してこの被検出部８５ｂの通過を検出するホールＩＣ等よりなる検出部８５ａが設けられている。すなわち、この検出部８５ａ及び被検出部８５ｂにより、揉み軸７３の回転位置を検出して、対の支持アーム６２ａ，６２ａの間隔を検出する非接触式の幅センサ８５が構成されている。
【００４０】
図１０及び図１１に示すとおり、ベースフレーム６０の上壁６０ｂの下面には、移動フレーム６１の上壁６１ｂに対向する箇所において、磁石等よりなる被検出部８６ｂが固定的に設けられている。そして、基板８８の上面には、左右方向において被検出部８６ｂと対応する位置に、被検出部８６ｂの通過を検出するホールＩＣ等よりなる検出部８６ａが設けられている。すなわち、この検出部８６ａ及び被検出部８６ｂにより、移動フレーム６１がベースフレーム６０に対して所定の進退（揺動）位置となったことを検出する非接触式の進退センサ８６が構成されている。詳細は後述するが、前述した昇降センサ８３及び進退センサ８６により、両センサ８３，８６の検出結果に基づいて使用者の身長方向における特定部位（具体的には肩位置）を検出する検出手段が構成されている。
【００４１】
このように、昇降センサ８３、速度センサ８４、幅センサ８５、及び進退センサ８６の各検出部８３ａ〜８６ａが、移動フレーム６１の上部に設けられた単一の基板８８にまとめて配備されており、基板数の削減による低コスト化や、制御部１３と接続される中継部材８７の取り回しの簡素化に貢献している。
【００４２】
図１２及び図１３に示すとおり、このマッサージユニット９は、ベースフレーム６０と移動フレーム６１の間に設けられ、移動フレーム６１を使用者側へ常時付勢する圧縮バネ等よりなる付勢手段８９を有している。この付勢手段８９は、その後端部がベースフレーム６０の後壁６０ｄに固着され、その前端部が移動フレーム６１の後壁６１ｄに当接している。移動フレーム６１に設けられたマッサージ手段６２に使用者の荷重が作用しているときは、移動フレーム６１は付勢手段８９による前方への付勢力に抗して後退位置（図１２参照）に位置し、マッサージ手段６２に対する使用者の荷重が解除されたときは、移動フレーム６１は付勢手段８９による前方への付勢力により突出位置（図１３参照）に位置する程度に、付勢手段８９の付勢力が設定されている。この付勢手段８９は前記した構成に限定されず、例えば、移動フレーム６１をその両側壁６１ａの前部を連結する前壁を有する構成とし、昇降駆動軸６４に設けられて前記前壁を前方へ付勢するトーションバネとすることもできる。
【００４３】
以下、マッサージユニット９により使用者の特定部位（肩位置）を検出する方法について説明する。
マッサージユニット９の昇降位置の初期位置は座部３の前端部に位置している。そして、使用者はリモートコントローラ１００を操作して、制御部１３に記憶された予め設定された内容で各マッサージ部９〜１２が動作する自動コースを選択する。自動コースが選択されると、制御部１３はマッサージユニット９を座部３の前端部から背凭れ部４の上端部に向かって上昇させるよう制御する。使用者の身体部位が存在している昇降位置においては、マッサージ手段６２に対して使用者から負荷が加わるため、移動フレーム６１は付勢手段８９による前方への付勢力に抗して後退位置（図１２参照）に位置している。そして、マッサージユニット９が使用者の肩位置に到達したときには、マッサージ手段６２に対する使用者からの負荷が解除され、移動フレーム６１は付勢手段６９による前方への付勢力により突出位置（図１３参照）に位置する。
【００４４】
そして、進退センサ８６が移動フレーム６１の突出位置を検出したときのマッサージユニット９の昇降位置を、昇降センサ８３が検出することにより使用者の肩位置が判別される。検出された肩位置は制御部１３に記憶され、自動コースが開始される。なお、マッサージユニット９を背凭れ部４の上端部から下降させる過程で肩位置を検出してもよい。この場合は、進退センサ８６によって移動フレーム６１が突出位置（図１３参照）よりも後退したことが検出されたときのマッサージユニット９の昇降位置を、昇降センサ８３により検出して肩位置を判別すればよい。
【００４５】
［ロッキング機構部の構成］
図３〜図５に示すとおり、ロッキング機構部８は、主として、椅子本体２をベース７に対して前後揺動可能に連結するリンク部材４０、及びリンク部材４０を揺動させるロッキング駆動部３１により構成されている。リンク部材４０は、前後に所定間隔を存してベースから上方に延設された第１リンク部４２及び第２リンク部４３を有しており、それぞれ下部がベース７に枢支され、上部が椅子本体２に枢支されている。より具体的には、第１リンク部４２は、その下部が第１シャフト７ｂに枢支され、かつその上部がブラケット４４及び枢軸Ａ１を介して座部３（椅子本体２）に枢支されており、その上部が前後に揺動可能に構成されている。第２リンク部４３は、第１リンク部４２よりも後方において、その下部が第２シャフト７ｃに枢支され、かつその上部がブラケット４４及び枢軸Ａ２を介して座部３（椅子本体２）に枢支されており、その上部が前後に揺動可能に構成されている。この第１リンク部４２及び第２リンク部４３は、それぞれ左右で対をなしており、対の第１リンク部４２，４２は左右方向に延設された第１連結部４２ａにより連結され、対の第２リンク部４３，４３は左右方向に延設された第２連結部４３ａにより連結されている。
【００４６】
このように、椅子本体２が前後に所定間隔を有して設けられた第１リンク部４２及び第２リンク部４３を介してベース７に支持されているため、ロッキング機構部８に作用する負荷（使用者からの荷重）が前後に分散され、安定して椅子本体２を前後に揺り動かすことができる。また、リンク部材４０の下部がベース７に連結され、上部が椅子本体２に連結されているため、ベース７におけるリンク部材４０の連結部分（すなわち、第１シャフト７ｂ及び第２シャフト７ｃ）を床面から高い位置に位置させる必要がなく、マッサージ機１全体の高さ寸法を抑えることができる。更には、図２〜図４に示すとおり、椅子本体２は収容部２３を有し、リンク部材４０を椅子本体２に取り付けるブラケット４４、及びロッキング機構部８を構成するリンク部材４０の一部（上部）を、収容部２３内に位置させることにより椅子本体２の外部に露出させないので、マッサージ機１の美観を向上させることができる。
【００４７】
図３〜図５に示すとおり、ロッキング駆動部３１は、モータ３２と、モータ３２の駆動により伸縮するシリンダ３３と、を有する直動式のアクチュエータにより構成されている。このロッキング駆動部３１のシリンダ３３は、基部３３ａがリンク部材４０である第２連結部４３ａにブラケット４３ｂを介して枢支され、先部３３ｂがベース７に第３シャフト７ｄ（枢軸）によって枢支されている。この構成によれば、ロッキング駆動部３１を駆動してシリンダ３３を短縮させると、リンク部材４０が前方へ揺動して、起立状態（図３参照）にある椅子本体２をリクライニング状態（図４参照）へと移行させることができ、ロッキング駆動部３１を駆動してシリンダ３３を伸張させると、リンク部材４０が後方へ揺動して、リクライニング状態（図４参照）にある椅子本体２を起立状態（図３参照）へと移行させることができる。そして、モータ３２を停止することにより、椅子本体２は、起立状態とリクライニング状態の間における任意の位置で位置決めされる。
【００４８】
図６に示すとおり、ロッキング駆動部３１は、ベース７に対する椅子本体２の揺動位置を検出する揺動位置センサ３４を有している。この揺動位置センサ３４は、モータ３２の出力軸３２ａに取り付けられた磁石等よりなる被検出部３４ｂと、被検出部３４ｂの通過を検出するモータ本体３２ｂに設けられたホールＩＣ等よりなる検出部３４ａと、により構成され、この検出部３４ａが出力軸３２ａ（モータ３２）の回転数を検出することにより、椅子本体２の起立状態とリクライニング状態の間における任意の揺動位置を検出できるよう構成されている。更に、この検出部３４ａは、出力軸３２ａの周方向に近接して２つ設けられており、どちらの検出部３４ａが先に被検出部３４ｂの通過を検出したかを判別することにより、出力軸３２ａ（モータ３２）の回転方向も検出可能となっている。図７に示すとおり、この揺動位置センサ３４は、制御部１３に電気的に接続されており、制御部１３は、揺動位置センサ３４の検出結果に応じて、モータ３２の駆動を制御するよう構成されている。
【００４９】
図７に示すとおり、前述したロッキング駆動部３１（モータ３２）、マッサージユニット９、及び各エアセル１０〜１２は、制御部１３からの指示に従って予め設定されたプログラムにより動作する他、制御部１３に接続されたリモートコントローラ１００を被施療者が操作することにより制御部１３へ入力された信号に基づいても動作することができる。
【００５０】
［フットリンク部材の構成］
図３〜図５に示すとおり、フットリンク部材５０は、ブラケット４４を介して椅子本体２に枢支された第１フットリンク部５１と、ブラケット４２ｂ及びブラケット５１ｂを介して第１リンク部４２及び第１フットリンク部５１に枢支された第２フットリンク部５２と、第２フットリンク部５２及びブラケット２７に枢支された第３フットリンク部５３と、を有している。第１フットリンク部５１は、その上部が枢軸Ａ１，Ａ２の間において枢軸Ａ３を介してブラケット４４（すなわち座部３）に取り付けられ、その下部が第２フットリンク部５２の後部に枢軸Ａ４を介して取り付けられている。第２フットリンク部５２は、その前部が第３フットリンク部５３に枢軸Ａ５を介して取り付けられ、枢軸Ａ４，Ａ５の間において枢軸Ａ６を介して第１リンク部４２（ブラケット４２ｂ）に取り付けられている。第３フットリンク部５３は、その上部が枢軸Ａ７を介してブラケット２７（すなわちフットレスト５）に取り付けられ、その下部が枢軸Ａ５を介して第２フットリンク部５２に取り付けられている。そして、ロッキング駆動部３１を駆動させると、リンク部材４０に連結されたフットリンク部材５０により、椅子本体２の揺動に連動してフットレスト５が上下揺動するよう構成されている。すなわち、ロッキング駆動部（駆動部）３１及びフットリンク部材５０により、フットレスト５を座部３に対して移動させる移動機構部３５が構成されている。
【００５１】
ロッキング駆動部３１を駆動させて、起立状態から第１リンク部４２を第１シャフト７ｂ回りに前方へ揺動させてリクライニング状態へと近づけていくと、第１フットリンク部５１は枢軸Ａ３回りに後方へ揺動し、第２フットリンク部５２は第１リンク部４２に対して枢軸Ａ６回りにその前部が上方へ揺動するとともに、第３フットリンク部５３は枢軸Ａ５回りに下方へ揺動する。従って、椅子本体２を前方へ揺り動かしてリクライニング状態へと近づけていくと、フットレスト５は上方へ回動することとなる。より具体的には、椅子本体２が起立状態からリクライニング状態へ移行する過程においては、座部３が後傾していくとともにフットレスト５が上昇していく。このとき、脚部は高い位置に移行しつつ伸ばされていくので、いわゆる求心法のように脚部の血流を足先から心臓に向かうように促進させることができ、リラックス効果を高めることができる。
【００５２】
一方、ロッキング駆動部３１を駆動させて、リクライニング状態から第１リンク部４２を第１シャフト７ｂ回りに後方へ揺動させて起立状態へと近づけていくと、第１フットリンク部５１は枢軸Ａ３回りに前方へ揺動し、第２フットリンク部５２は第１リンク部４２に対して枢軸Ａ６回りにその前部が下方へ揺動するとともに、第３フットリンク部５３は枢軸Ａ５回りに上方へ揺動する。従って、椅子本体２を後方へ揺り動かして起立状態へと近づけていくと、フットレスト５は下方へ回動することとなる。より具体的には、椅子本体２がリクライニング状態から起立状態へ移行する過程においては、座部３が前傾していくとともにフットレスト５が下降していく。椅子本体２が起立状態にあるときには、フットレスト５は下降しているため、使用者は椅子本体２への乗り降りが容易となる。
【００５３】
［第１検出機構の構成］
以下、図３、図４、図１４〜図１６に基づいて、座部３と移動機構部３５との間における異物Ｏ１の存否を検出する第１検出機構３００について説明する。図１４は、カバー部材１５及びベース部材３０１を示す分解斜視図である。図１５は、カバー部材１５及びベース部材３０１を左右方向に略直交する面で切断した断面図である。図１６は、第１検出機構３００の説明図であり、（ａ）は図１５の前方部分を模式的に示す拡大図であり、（ｂ）は図１５の後方部分を模式的に示す拡大図である。なお、図１５では、カバー部材１５が最も下降した状態を示している。制御部１３及びエア給排気装置１４は、座部３に取り付けられたベース部材３０１を介して、座部３の下方に配置されている。制御部１３及びエア給排気装置１４を下方から覆うカバー部材１５は、制御部１３の構成要素（電源基板１３ａ及びメイン基板１３ｂ）及びエア給排気装置１４の構成要素（ポンプ１４ａ及びバルブ１４ｂ）を収容すべく、左右方向略中央を挟んで２つの収容部１５ａを有している。また、カバー部材１５の両収容部１５ａ，１５ａ間には、前後両端部及び下方が開口した前後方向に長い溝部１５ｂが形成されている。そして、図４に示すとおり、椅子本体２を前方へ揺動させてリクライニング状態とさせると、フットリンク部材５０の第２フットリンク部５２は、上方へ揺動した状態となりカバー部材１５の溝部１５ｂ内に位置することとなる。すなわち、この溝部１５ｂは、第２フットリンク部５２（フットリンク部材５０）とカバー部材１５との干渉を防止する役割を果たしている。
【００５４】
カバー部材１５は、取付部材３０２によりその前後両端部がベース部材３０１に取り付けられている。この取付部材３０２は、軸部３０２ａ及び鍔部３０２ｂを有しており、カバー部材１５は軸部３０２ａが挿通され鍔部３０２ｂにより下方から支持されている。図１５及び図１６に示すとおり、後側の取付部材３０２は、カバー部材１５と鍔部３０２ｂとの間に介在するゴムブッシュ等よりなる弾性部材３０３を有しており、前側の取付部材３０２は、カバー部材１５を軸部３０２ａに沿って上下方向に移動可能とすべく、上下方向において余剰スペースＤを確保した上でベース部材３０１に取り付けている。そして、ベース部材３０１とカバー部材１５の間には、カバー部材１５を常時下方へ付勢する圧縮バネ等よりなる付勢手段３０４が設けられている。また、図１４に示すとおり、このマッサージ機１は、カバー部材１５の上下方向の移動を検出する第１センサ３０５を有している。この第１センサ３０５は、椅子本体２側（具体的にはベース部材３０１）に設けられ、カバー部材１５が上方へ移動することによりカバー部材１５の一部が当接したことを検出する検出部３０５ａと、カバー部材１５の前部に取り付けられた検出部３０５ａに当接する被検出部（図示せず）と、により構成されている。
【００５５】
これらカバー部材１５、取付部材３０２、付勢手段３０４、及び第１センサ３０５により、座部３の下面とフットリンク部材５０の間に位置する異物Ｏ１の存否を検出する第１検出機構３００が構成されている。なお、カバー部材１５は、その移動により第１センサ３０５が異物Ｏ１の存在を検出するための可動部材として機能している。以下、図３に示すとおり、座部３の下面とフットリンク部材５０の間に人（具体的には使用者）の腕部を異物Ｏ１として位置させた状態で、椅子本体２を起立状態（図３参照）からリクライニング状態（図４参照）へと移行させる場合を例示して説明する。なお、前述したケースの一例として、起立状態においてはカバー部材１５と第２フットリンク部５２の間にスペースＳ１が存在しているため、例えば、リクライニング状態へと移行中に床面に置かれた所望の物体を拾おうとして、当該スペースＳ１に腕部Ｏ１を位置させてしまう場合が挙げられる。
【００５６】
腕部Ｏ１を当該スペースＳ１に位置させた状態で、椅子本体２をリクライニング状態へと移行させていくと、第２フットリンク部５２の上方揺動により、カバー部材１５には腕部Ｏ１を介して押圧力が作用する。そうすると、カバー部材１５は、付勢手段３０４の下方への付勢力に抗してその前側が上方へ揺動し、カバー部材１５に取り付けられた被検出部（図示せず）が検出部３０５ａに当接する。第１センサ３０５がカバー部材１５の当接を検出すると、制御部１３はロッキング駆動部３１を停止して椅子本体２の移動を停止するよう制御する。すなわち、座部３に対するフットレスト５の移動（上方揺動）が停止される。このとき、椅子本体２（フットレスト５）の移動停止に代えて、逆方向に移動（フットレスト５を視点とした場合は下方へ揺動）させるよう制御してもよい。このように第１検出機構３００を備えていることにより、座部３の下面とフットリンク部材５０の間に異物Ｏ１が存在した状態でロッキング駆動部３１を駆動させたとしても、使用者の安全性を確保できるとともに、マッサージ機１の破損を防止することができる。
【００５７】
［第２検出機構の構成］
以下、図３、図４、及び図１７に基づいて、床面と移動機構部３５との間における異物Ｏ２の存否を検出する第２検出機構３０６について説明する。図１７は、第２検出機構３０６の説明図であり、第２フットリンク部５２及び第３フットリンク部５３の側面図である。なお、図１７では、カバー部材３０７が最も下降した状態を示している。図１７に示すとおり、第２フットリンク部５２はカバー部材３０７により外部が覆われている。そして、このカバー部材３０７は、第２フットリンク部５２の長手方向中途部において、枢軸Ａ８を介してその前部が上下方向に揺動可能に取り付けられている。また、第２フットリンク部５２とカバー部材３０７との間には、カバー部材３０７を第２フットリンク部５２に対して常時下方へ付勢するゴム等の弾性部材よりなる付勢手段３０８が設けられている。
【００５８】
図１７に示すとおり、このマッサージ機１は、カバー部材３０７の上下方向の移動を検出する第２センサ３０９を有している。この第２センサ３０９は、フットリンク部材５０（具体的には第２フットリンク部５２）に設けられ、カバー部材３０７が上方へ移動することによりカバー部材３０７の一部が当接したことを検出する検出部３０９ａと、カバー部材３０７における内側面から内側に突設された部分である被検出部３０９ｂと、により構成されている。これらカバー部材３０７、付勢手段３０８、及び第２センサ３０９により、床面と移動機構部３５との間における異物Ｏ２の存否を検出する第２検出機構３０６が構成されている。なお、カバー部材３０７は、その移動により第２センサ３０９が異物Ｏ２の存在を検出するための可動部材として機能している。
【００５９】
以下、床面とフットリンク部材５０の間に異物Ｏ２を位置させた状態で、椅子本体２をリクライニング状態（図４参照）から起立状態（図３参照）へと移行させる場合を例示して説明する。椅子本体２を起立状態へと移行させていくと、第２フットリンク部５２の下方揺動により、第２フットリンク部５２に設けられたカバー部材３０７に異物Ｏ２が接触する。そうすると、カバー部材３０７が付勢手段３０８の下方への付勢力に抗してその前側が上方へ揺動し、カバー部材３０７が有する被検出部３０９ｂが検出部３０９ａに当接することにより第２センサ３０９が異物Ｏ２の接触を検出すると、制御部１３はロッキング駆動部３１を停止して椅子本体２の移動を停止するよう制御する。すなわち、座部３に対するフットレスト５の移動（下方揺動）が停止される。このとき、椅子本体２（フットレスト５）の移動停止に代えて、逆方向に移動（フットレスト５を視点とした場合は上方へ揺動）させるよう制御してもよい。このように第２検出機構３０６を備えていることにより、床面とフットリンク部５０の間に異物Ｏ２が存在した状態でロッキング駆動部３１を駆動させたとしても、安全性を確保できるとともに、マッサージ機１の破損を防止することができる。
【００６０】
［他の実施形態に係るマッサージユニットの構成］
以下、他の実施形態に係るマッサージユニット６の構成について説明する。図１８は、他の実施形態に係るマッサージユニット６の側面図である。図１８は、移動フレーム６１が突出位置にあるときの状態を示している。なお、前述したマッサージユニット９と異なる構成は付勢手段９５のみであるため、他の構成は同一の符号を付してその説明を省略する。
【００６１】
図１８に示すとおり、この付勢手段９５は、ニトリルゴムやシリコンゴム等のゴムよりなり、固定フレーム６０と移動フレーム６１の間に介在して設けられており、その前部が移動フレーム６１の後壁６１ｄに固着され、その後部が固定フレーム６０の後壁６０ｄに当接して設けられている。付勢手段９５の後部は円弧状に形成されており、移動フレーム６１の下部を支点とした前後揺動に対応して、付勢手段９５の反力を適切に移動フレーム６１に付与することができる。この付勢手段９５は、進退用エアセル６３を挟んで左右に対をなして設けられている。移動フレーム６１に設けられたマッサージ手段６２に使用者の荷重が作用しているときは、移動フレーム６１は付勢手段９５による前方への付勢力に抗して後退位置（図１２参照）に位置し、マッサージ手段６２に対する使用者の荷重が解除されたときは、移動フレーム６１は付勢手段９５による前方への付勢力により突出位置（図１８参照）に位置する程度に、付勢手段９５の付勢力（復元力）が設定されている。
【００６２】
［他の実施形態に係るマッサージ機の構成］
以下、本発明の他の実施形態に係るマッサージ機２００の構成について説明する。図１９は、本発明の他の実施形態に係るマッサージ機２００の説明図であり、（ａ）はマッサージユニット９が首位置にあるときの平面図、（ｂ）はマッサージユニット９が腰位置にあるときの平面図、（ｃ）は中継部材ガイド機構９１の説明図である。なお、前述したマッサージ機１と同様の構成については、同一の符号を付してその説明を省略する。また、図１９（ｃ）は、中継部材８７及びガイド部材９１ａをその長手方向と直交する方向から切断したときの断面を示している。
【００６３】
マッサージ機２００は、使用者の身体を支持する身体支持部２０と、身体支持部２０に設けられ使用者の身長方向に沿って昇降可能であるマッサージユニット９と、マッサージユニット９と隔離して設けられマッサージユニット９の動作制御を行う制御部１３と、マッサージユニット９と制御部１３を電気的に接続する中継部材８７と、マッサージユニット９の昇降に伴う中継部材８７の曲がり方向を規制する中継部材ガイド機構９１と、を有し、中継部材ガイド機構９１は、左右方向に並設された使用者の身長方向に延びる複数のガイド部材９２と、一部が中継部材８７に固着され他部がガイド部材９２に対してスライド可能に取り付けられた複数の被ガイド部材９３と、を有している。
【００６４】
ガイド部材９２は、ワイヤ等よりなる身長方向に延びる棒状部材であり、第１身体支持部本体２１の開口部２１ａに対応する位置において、左右方向に複数本（本実施形態では２本）並設されている。図１９（ｃ）に示すとおり、被ガイド部材９３は、拘束バンド等よりなり、その一部９３ａが中継部材８７に巻装されて固着され、その他部９３ｂがガイド部材９２にスライド可能に係嵌されている。この被ガイド部材９３における他部９３ｂはリング状に形成されており、被ガイド部材９３は中継部材８７の長手方向に複数個（本実施形態では６個）取り付けられている。中継部材８７は、第１身体支持部本体２１に設けられた孔部２１ｂを通過して、座部３の下方に設けられた制御部１３に接続されている。
【００６５】
図１９（ａ）に示すとおり、マッサージユニット９が首位置等の身長方向における高い位置に位置するときは、中継部材８７の上下方向の曲がり度合いは小さい。図１９（ａ）に示す状態からマッサージユニット９を下降させていくと、中継部材８７に固着された複数の被ガイド部材９３が、左右方向に並設された複数のガイド部材９２に対してスライドすることにより、中継部材８７は使用者側（前後方向）への曲げが規制されるため、上下方向へ平面視で略Ｓ字状に曲がっていく。図１９（ｂ）に示すとおり、マッサージユニット９が腰位置等の身長方向における低い位置に位置するときは、首位置に位置するときよりも中継部材８７の上下方向の曲がり度合いは大きくなる。
【００６６】
上述したように、マッサージユニット９の昇降時において、中継部材８７は左右方向において複数のガイド部材９２により上下方向に曲がるようガイドされているため、使用者側への曲がりが規制されて中継部材８７がマッサージユニット９と干渉したり、ラック２２とピニオン６５，６８の間に挟まったりして、マッサージユニット９の移動を阻害してしまうことを防止できる。従って、マッサージユニット９を安定して昇降させることが可能となる。
【００６７】
また、本発明のマッサージ機は、図示する形態に限らず、この発明の範囲内において他の形態のものであっても良い。
例えば、ロッキング機構部において、ロッキング駆動部３１に代えて、ベース７と第１リンク部４２（リンク部材４０）の間に取り付けられ、椅子本体２を起立状態となるよう付勢するバネ（引張バネ）又はダンパー等よりなる付勢部材を設けてもよい。この場合、付勢部材の付勢力により椅子本体２を起立状態に維持することができるが、座部３に着座した使用者が背凭れ部４に凭れると、背凭れ部４をリクライニング状態とさせることが可能である。そして、使用者が背凭れ部４に凭れる力を弱めると、付勢部材の付勢力によって、リクライニング状態にある背凭れ部４を起立状態に復帰させることができる。
【産業上の利用可能性】
【００６８】
本発明は、フットレストを移動させる移動機構部に異物が干渉することによって生じる種々の危険を防止できるマッサージ機に適用することができる。
【符号の説明】
【００６９】
１  マッサージ機
２  椅子本体
３  座部
５  フットレスト
１０〜１２  エアセル
１３  制御部
１４  エア給排気装置
１５  カバー部材（可動部材）
３１  ロッキング駆動部（駆動部）
３５  移動機構部
５０  フットリンク部材
３００  第１検出機構
３０５  第１センサ
３０６  第２検出機構
３０９  第２センサ
Ｏ１，Ｏ２  異物
【図１】
2013169340.tif 000003
【図２】
2013169340.tif 000004
【図３】
2013169340.tif 000005
【図４】
2013169340.tif 000006
【図５】
2013169340.tif 000007
【図６】
2013169340.tif 000008
【図７】
2013169340.tif 000009
【図８】
2013169340.tif 000010
【図９】
2013169340.tif 000011
【図１０】
2013169340.tif 000012
【図１１】
2013169340.tif 000013
【図１２】
2013169340.tif 000014
【図１３】
2013169340.tif 000015
【図１４】
2013169340.tif 000016
【図１５】
2013169340.tif 000017
【図１６】
2013169340.tif 000018
【図１７】
2013169340.tif 000019
【図１８】
2013169340.tif 000020
【図１９】
2013169340.tif 000021